(57)【要約】
【課題】ペットボトルを縦方向、横方向に連結して、連結したペットボトルで家具や玩具等を製作し、生活に活用することができるペットボトル連結具を提供すること。
【解決手段】以下の要件を備えたことを特徴とする。
（イ）直方体状に形成され、隣り合う側面には相互に連結可能な連結手段３、４を備えること
（ロ）上側にペットボトルの底部に嵌合する嵌合部６を有し、下側にはペットボトルの首部に嵌合する嵌合部８を有すること
なお、前記両嵌合部６、８の間には仕切板５が形成されているのが好ましい。
【選択図】図１
0003099575.tif 000002
【実用新案登録請求の範囲】
【請求項１】
　以下の要件を備えたことを特徴とするペットボトル連結具。
（イ）直方体状に形成され、隣り合う側面には相互に連結可能な連結手段を備えること
（ロ）上側にペットボトルの底部に嵌合する嵌合部を有し、下側にはペットボトルの首部に嵌合する嵌合部を有すること
【請求項２】
前記両嵌合部の間には仕切板が形成されている、請求項１記載のペットボトルの連結具。
【請求項３】
前記隣り合う側面に形成されて相互に連結可能な連結手段のうち、一方の連結手段は蟻ほぞ形に形成され、他方の連結手段は蟻溝形に形成された、請求項１記載のペットボトルの連結具。
【請求項４】
　前記ペットボトルの底部に嵌合する嵌合部と首部に嵌合する嵌合部とがそれぞれ２個ずつ横方向に一体に連結してなる、請求項１記載のペットボトルの連結具。
【請求項５】
　前記ペットボトルの底部に嵌合する嵌合部と首部に嵌合する嵌合部とがそれぞれ３個ずつ横方向にＬ字形に一体連結してなる、請求項１記載のペットボトルの連結具。
【考案の詳細な説明】
【技術分野】
【０００１】
　本考案は、使用済みのペットボトルを縦方向及び横方向に連結するペットボトル連結具に関する。
【背景技術】
【０００２】
　使用済みのペットボトルは分別回収すると、原料として再利用できるので専用の回収箱を設置して回収し、リサイクルすることは周知である。
【０００３】
　しかしながら、ペットボトルは軽くて垂直荷重に強い特性があるので、縦方向及び横方向に連結することができれば、家具や玩具等を製作して生活用品として活用することができるが、連結具がないため活用されていない現状である。
【考案の開示】
【考案が解決しようとする課題】
【０００４】
　本考案はこの現状に鑑み、ペットボトルを縦方向及び横方向に連結して、連結したペットボトルで家具や玩具等を製作し、生活に活用することができるペットボトル連結具を提供することをその課題とする。
【課題を解決するための手段】
【０００５】
　前記課題を解決するため、本考案に係るペットボトル連結具は以下の要件を備えたことを特徴とする。
（イ）直方体状に形成され、隣り合う側面には相互に連結可能な連結手段を備えること
（ロ）上側にペットボトルの底部に嵌合する嵌合部を有し、下側にはペットボトルの首部に嵌合する嵌合部を有すること
【０００６】
なお、前記両嵌合部の間には仕切板が形成されているのが好ましい。
【０００７】
また、前記隣り合う側面に形成されて相互に連結可能な連結手段のうち、一方の連結手段は蟻ほぞ形に形成され、他方の連結手段は蟻溝形に形成されるのが好ましい。
さらに、前記ペットボトルの底部に嵌合する嵌合部と首部に嵌合する嵌合部とがそれぞれ２個ずつ横方向に一体に連結するのがよい。
【０００８】
　さらに、前記ペットボトルの底部に嵌合する嵌合部と首部に嵌合する嵌合部とがそれぞれ３個ずつ横方向にＬ字形に一体連結するのがよい。
【考案の効果】
【０００９】
　請求項１に係る考案によれば、連結具の底部の嵌合部にペットボトルの底部を嵌合し、首部の嵌合部に首部を嵌合する操作を繰り返し行えば、所要数のペットボトルを縦方向に連結することができ、また、ペットボトルを縦方向に連結した連結具の周囲に設けた連結手段を相互に連結させれば、縦列したペットボトルを横方向に連結することができるので、連結数と連結状態の選択によって椅子や机等の家具を製作したり、ブロック玩具等を製作したりしてペットボトルを実用品として生活に活用することができる。
【００１０】
　請求項２に係る考案によれば、仕切板がペットボトルの底部と首部を嵌合の深さを規制するので、嵌合しすぎることがないので、連結しやすい。
【００１１】
請求項３に係る考案によれば、蟻ほぞ形の連結手段を蟻溝形の連結手段に嵌め込み連結することができるので、連結作業が簡単である。
【００１２】
　請求項４または請求項５に係る考案によれば、一度に多数のペットボトルを連結することができるとともに、強度も高い。
【実施例１】
【００１３】
　図１〜図６において符号１は、本考案のペットボトル連結具を示す。この連結具１は、ペットボトル２を縦方向及び横方向に連結するものであり、ペットボトル２の底部２a及び首部２ｂへ嵌脱可能であって、周囲には相互の連結を行う連結手段３及び４を備えるように合成樹脂により形成する。
【００１４】
　上記連結具１は、ペットボトルが四角形の場合は、これに合わせた直方体状に形成して、内側上部に水平方向の仕切板５を設け、この仕切板５より上側をペットボトル２の底部２ａに嵌合する嵌合部６とし、水平仕切板５より下側には、上記嵌合部６よりもやや小さい外枠７に囲まれた円筒体を設けて、この円筒体をペットボトル３の首部３ｂに嵌合する嵌合部８としてある。
【００１５】
　上記底部２ａの嵌合部６は、周壁６ａの内側にペットボトル２の底部２ａの周面へ係合する係止体９を水平方向に１組か２組設け、周壁６ａの外側に連結具１を横方向に連結する雄の連結手段３と、雌の連結手段４とを、図３、図４に示す通りの配置で水平方向に設けるものであって、雄の連結手段３は蟻ほぞ形に形成し、雌の連結手段４は蟻溝形に形成する。
【００１６】
　ペットボトル２の首部２ｂの嵌合部８は、周壁８ａの下半分に図２、図５、図６に示す通り複数組の切割１０を縦方向に入れて、これら切割１０の間を弾性変形可能な可動部１１とし、この可動部１１にはペットボトル２の口を塞ぐ公知のキャップで形成される首部２ｂの下縁へ係合する係止体１２を水平方向に設ける。
【００１７】
　また、首部２ｂの嵌合部８は、周壁８ａの上半分の内側に図４、図５、図６に示す通り適当な間隔で数条の凸条１３を垂直方向に設け、これら凸条１３に嵌合部８に嵌合されるペットボトル２の首部２ｂの周面へ当接させるようにする。
【００１８】
　更に、首部２ｂの嵌合部８の周壁８ａと、これを囲む外枠７ｓの間には適当な間隔でリブ１４を配置して、周壁８ａと外枠7とを連結する。
【００１９】
　上記構成のペットボトル連結具は、使用済みのペットボトル２の底部２ａを、連結具１における底部２ａの嵌合部６へ図７に示す通り嵌合すると、底面が水平仕切板５に当接したとき、係止体９が底部３ａの周面へ係合するため、連結具１はペットボトル３へ確実に止着される。
【００２０】
　また、ペットボトル２の首部２ｂへ連結具１の首部２ｂの嵌合部８を図７に示す通り嵌合すると、嵌合部８は可動部片１１が弾性変形するため円滑に首部２ａに嵌合して、係止体１２をペットボトル２の首部２ｂの下縁へ係合させるため、連結具１はペットボトル２へ確実に止着される。
【００２１】
　上記のように底部３ａと首部３ｂとに連結具１を止着した複数のペットボトル３は、首部２ｂに止着した連結具１の底部２ａの嵌合部６へ、次のペットボトル２の底部２ａに嵌合して、このペットボトル２の首部２ｂへ次の連結具１における首部２ｂの嵌合部８に嵌合し、その底部の２ａの嵌合部６へその次のペットボトル２の底部２ａに嵌合する操作を繰り返し行えば、ペットボトル２は図８に示す通り縦方向に連結される。
【００２２】
　また、図８に示す通り縦方向に連結したペットボトル２は、図９に示す通りに配置して、隣り合う連結具１の雄の連結手段３と雌の連結手段４とを係合させれば、各連結具１は連結手段３及び４の係合によって連結され、例えば図１０に示す通りの面が形成される横方向の連結を行われる。
【００２３】
　上記の通り連結具１で縦方向及び横方向に連結したペットボトル２は、その連結状態によって、例えば図１１に示す通りの椅子Ｃを製作したり、図面には示してない机、その他の家具を製作したり、または、玩具のブロックを製作したりして生活に活用することができる。
【実施例２】
【００２４】
　本考案のペットボトル連結具１は、実施例１に示す通りの単体型を、図１２及び図１３に示す通り２個又は３個が一体に連結された２連型、３連Ｌ字型とすることができるものであり、この実施例は、複数の連結具１のつながり合う部分の雄、雌の連結手段３及び４はなくして、図１２及び図１３に示す通りの棒状か板状等の連結部材１５を用いて隣り合う連結具１を接合したものであり、連結する数は必要に応じて、４個以上に増したり、連結する形状も十字型、Ｔ字型、その他の連結に適した形状を選択することができる。
【００２５】
　この実施例の連結具１は、複数個の連結具１が一体化されているから、単体型に比べて連結する箇所が減るため連結能率も上がって、連結部が固定結合されるため強くて安定している特徴がある。
【実施例３】
【００２６】
　また、本考案のペットボトル連結具１は、実施例１のようにペットボトル２の底部２ａの嵌合部６と首部２ｂの嵌合部８を一体形成することなく、底部２ａの嵌合体１６と、首部２ｂの嵌合体１７とを図１４と図１５図に示す通り分割形成して、必要に応じて嵌合体１６と嵌合体１７とに嵌合して一体化すると、図１７に示す通り実施例１と同様の連結具１が構成されるようにすることもできる。
【００２７】
　この実施例における底部２ａの嵌合体１６は、例えば、四角形のペットボトル２に合わせた四角形に形成して、内側の中間に水平仕切板５を設け、この仕切板５より上側をペットボトル２の底部２ａに嵌合する嵌合部６として、周壁６ａの内側にはペットボトル２の底部２ａの周面へ係合する係止体９を水平方向に設け、周壁６ａの外側には雄の連結手段３と雌の連結手段４とを設ける。
【００２８】
　また、底部２ａの嵌合体１６の水平仕切板５より下側は、ペットボトル２の首部２ｂの嵌合体１７に嵌合する嵌合部１８とし、この嵌合部１８の周壁１８ａの内側には、水平方向の係止体１９を相対するように設ける。
【００２９】
　首部２ｂの嵌合体１７は、底部２ａの嵌合体１６の下側に設けた嵌合部１８に嵌合する外枠７内に、円筒形をなしてペットボトル２の首部２ｂに嵌合する嵌合部８を形成したものであり、この嵌合部８の周壁８ａの下半分の内側には、図１５〜図１７に示す通り複数組の切割１０を縦方向に入れることにより、これら切割１０の間を弾性変形する可動部１１とし、この可動部１１にペットボトル２の首部２ｂの下縁へ係合する水平方向の係止体１２を設けて、上半分の内側には図１６に示す通り適当な間隔で垂直方向の凸条１３を数条設けてペットボトル２の首部２ｂの周面へ当接するようにしてある。
【００３０】
　首部２ｂの嵌合体１７における外枠７は、相対する２片に図１５に示す通り端部から垂直方向の切割２０を入れて、これら切割２０の間を弾性変形する可動部２１とし、この可動部２１に、嵌合体１７に嵌合部１８に嵌合するとき、嵌合体１７に設けた係止体１９を乗り越えて、その上側へ係合する水平方向の受け体２２を設けてある。
【００３１】
　この実施例に示すペットボトルの連結具１における底部２ａの嵌合体１６は、縦方向に連結するペットボトル２の最下段のものの底部２ａに嵌合し、首部２ｂの嵌合体１７はペットボトルボトル２の最上段のものの首部２ｂに嵌合するようにすることが好ましい。しかし、底部２ａの嵌合体１６に首部２ａの嵌合体１７に嵌合すれば、両者が一体化されて実施１と同様の連結具１を構成し、この連結具１と同様に使用することもできる。
【００３２】
　なお、この実施例に示す底部２ａの嵌合体１６も、実施例２と同様に単体型の複数を連結した２連型、３連型などの多連型に形成することができるが、実施例２と同様であるので詳細な説明は省略する。多連型は単体型よりも強度が増すので、特に３連型の場合、強度が必要なときは、作ろうとするものの角部に用いるのが好ましい。
【実施例４】
【００３３】
　図１８に示されるように、ペットボトル２の底部に、他のペットボトルの首部と嵌合して連結する連結部１´を一体に形成し、この連結部１´には他のペットボトルの連結具又は連結部と連結する連結手段３、４を形成するように構成してもよい。この場合、直接に他のペットボトルに連結することができるので、特別の連結具を必要としない。連結手段３、４はペットボトル本体の側面からあまり突出しないように構成するのがよい。
【産業上の利用可能性】
【００３４】
　ペットボトルを縦方向、横方向に連結することができる連結具は、廃品として扱われるペットボトルを実用品として役立てるのに適用できる。
【図面の簡単な説明】
【００３５】
【図１】連結具の表側の斜視図。
【図２】同上の裏側の斜視図。
【図３】同上の平面図。
【図４】同上の底面図。
【図５】図３のＡ−Ａ線における断面図。
【図６】図３のＢ−Ｂ線における断面図。
【図７】ペットボトルの底部と首部に連結具に嵌合した一部縦断面正面図。
【図８】ペットボトルの縦方向の連結状態を示す正面図。
【図９】ペットボトルを横方向に連結する状態を示す平面図。
【図１０】ペットボトルの横方向の連結状態を示す平面図。
【図１１】連結したペットボトルで製作した椅子の斜視図。
【図１２】連結具の２連型を示す平面図。
【図１３】連結具の３連型を示す平面図。
【図１４】底部の嵌合体の表面側の斜視図
【図１５】首部の嵌合体の裏側の斜視図。
【図１６】底部の嵌合体に首部の嵌合体に嵌合する状態の断面図。
【図１７】底部の嵌合体に首部の嵌合体に嵌合して連結具を形成した断面図。
【図１８】ペットボトルに連結具を一体に形成した例の正面図。
【符号の説明】
【００３６】
１　連結具
２　ペットボトル
２ａ　ペットボトルの底部
２ｂ　ペットボトルの首部
３、４　連結手段
【図１】
0003099575.tif 000003
【図２】
0003099575.tif 000004
【図３】
0003099575.tif 000005
【図４】
0003099575.tif 000006
【図５】
0003099575.tif 000007
【図６】
0003099575.tif 000008
【図７】
0003099575.tif 000009
【図８】
0003099575.tif 000010
【図９】
0003099575.tif 000011
【図１０】
0003099575.tif 000012
【図１１】
0003099575.tif 000013
【図１２】
0003099575.tif 000014
【図１３】
0003099575.tif 000015
【図１４】
0003099575.tif 000016
【図１５】
0003099575.tif 000017
【図１６】
0003099575.tif 000018
【図１７】
0003099575.tif 000019
【図１８】
0003099575.tif 000020